(57)【要約】【課題】配索の複雑化を伴うことなく単機能から多機能化までの変化に容易に対応することができると共に、製作期間の短縮化およびコスト低減化をも共に図ることができること【解決手段】電源供給装置Ａ２は、すれ違いビーム用放電バルブを点灯させる基本回路と機能拡張用コネクタＢ１とすれ違いビーム点灯用ソケットＢ２と電源入力コネクタＢ３とを備えた基本回路部材Ｂと、走行ビーム機能拡張子Ｅ、光照射方向制御機能拡張子、レベライザー制御機能拡張子、ＬＥＤ点灯制御機能拡張子等からなる拡張子群Ｃとを有し、ヘッドランプの要求仕様に応じて拡張子群Ｃから選択される拡張子Ｅを、基本回路部材Ｂに着脱可能に組み込んで構成した。【選択図】      図６
2004327175.tif 000002
【特許請求の範囲】
【請求項１】
少なくとも１個の放電バルブを光源とするヘッドランプの電源供給装置であって、
前記光源の内すれ違いビーム用の放電バルブを点灯させることのできる基本回路と、機能拡張用コネクタと、すれ違いビーム点灯用ソケットと、電源入力コネクタとを備えている基本回路部材と、
前記ヘッドランプに要求付加される各種機能を機能毎の機能拡張子として独立させて形成した複数の機能拡張子からなる拡張子群とを有し、
前記ヘッドランプの要求仕様に応じて前記拡張子群から選択される１個又は相互に連係する機能の異なる複数個の拡張子を、前記機能拡張用コネクタを介して前記基本回路部材に着脱可能に組み込んで構成したことを特徴とするヘッドランプの電源供給装置。
【請求項２】
請求項１に記載のヘッドランプの電源供給装置であって、
前記機能拡張子は、走行ビーム配光を奏する走行ビーム機能拡張子で、前記光源の内走行ビーム用の放電バルブを点灯させることのできる走行ビーム用回路と、走行ビーム点灯用ソケットとを備えて構成されており、
前記走行ビーム機能拡張子が、前記機能拡張用コネクタを介して前記基本回路部材に着脱可能に組み込まれて構成されていることを特徴とするヘッドランプの電源供給装置。
【請求項３】
請求項１に記載のヘッドランプの電源供給装置であって、
前記機能拡張子は、縦方向の車両姿勢を検出して光照射方向を常時所定の状態に保つように補正するレベライザー制御機能拡張子であり、
前記レベライザー制御機能拡張子が、前記機能拡張用コネクタを介して前記基本回路部材に着脱可能に組み込まれて構成されていることを特徴とするヘッドランプの電源供給装置。
【請求項４】
請求項１に記載のヘッドランプの電源供給装置であって、
前記機能拡張子は、光照射方向を進行方向に対して横方向に揺動制御する光照射方向制御機能拡張子であり、
前記光照射方向制御機能拡張子が、前記機能拡張用コネクタを介して前記基本回路部材に着脱可能に組み込まれて構成されていることを特徴とするヘッドランプの電源供給装置。
【請求項５】
請求項１に記載のヘッドランプの電源供給装置であって、
前記機能拡張子の一は、走行ビーム配光を奏する走行ビーム機能拡張子で、前記光源の内走行ビーム用の放電バルブを点灯させることのできる走行ビーム用回路と、走行ビーム点灯用ソケットとを備えて構成されており、
前記機能拡張子の他の一は、光照射方向を進行方向に対して横方向に揺動制御する光照射方向制御機能拡張子であり、
前記機能拡張子のさらに他の一は、前記ヘッドランプに内在するＬＥＤを光源とするランプを点灯制御するＬＥＤ点灯制御機能拡張子であり、
前記走行ビーム機能拡張子と前記光照射方向制御機能拡張子と前記ＬＥＤ点灯制御機能拡張子の連係部材が、前記機能拡張用コネクタを介して前記基本回路部材に着脱可能に組み込まれて構成されていることを特徴とするヘッドランプの電源供給装置。
【請求項６】
光源としての放電バルブからの光を反射させて所定のすれ違いビームの配光パターンが得られる第１反射面と、前記放電バルブからの光を前記第１反射面と共に反射させて所定の走行ビームの配光パターンが得られる第２反射面とを有して構成されるリフレクタと、放電バルブからの光のうち前記第１反射面および前記第２反射面で反射される反射光以外の前方に直接照射される直射光を遮光する固定シェードと、前記固定シェード内において前記すれ違いビームの配光パターンが得られるロービーム位置と前記走行ビームの配光パターンが得られるハイビーム位置との間を切替移動可能に配置され前記すれ違いビームの配光パターンと前記走行ビームの配光パターンとに切替える可動シェードと、前記可動シェードを前記すれ違いビーム位置と前記走行ビーム位置とに切替えるソレノイド手段とを備えているヘッドランプの電源供給装置において、
前記放電バルブを点灯させることのできる基本回路と、機能拡張用コネクタと、前記放電バルブ点灯用ソケットと、電源入力コネクタとを備えている基本回路部材と、
前記ソレノイド手段の駆動を制御する制御回路を備えたソレノイド制御部材とを有し、
前記ソレノイド制御部材を、前記機能拡張用コネクタを介して前記基本回路部材に着脱可能に組み込んで構成したことを特徴とするヘッドランプの電源供給装置。
【請求項７】
請求項６に記載のヘッドランプの電源供給装置であって、
前記ソレノイド制御部材に、光照射方向を進行方向に対して横方向に揺動制御する光照射方向制御機能拡張子を組み込んだ連係部材が、前記機能拡張用コネクタを介して前記基本回路部材に着脱可能に組み込まれて構成されていることを特徴とするヘッドランプの電源供給装置。
【発明の詳細な説明】
【０００１】
【発明の属する技術分野】
本発明は、放電バルブを光源として用いているヘッドランプの単機能から多機能化までの広範囲の要求仕様に容易に対応することができるヘッドランプの電源供給装置に関する。
【０００２】
【従来の技術】
図１２は、放電バルブを備えたヘッドランプ装置１００を示す（例えば、特許文献１参照）。放電バルブ２は、ソケット３に着脱可能に取り付けられており、このソケット３はリフレクタ４に着脱可能に取り付けられている。
【０００３】
このリフレクタ４の内面には、放電バルブ２からの光Ｌ１を反射させて図１３に示す所定のロービームの配光パターンＬＰが得られる第１反射面４ａと、放電バルブ２からの光Ｌ１、Ｌ２を第１反射面４ａと共に反射させて図１４に示す所定のハイビームの配光パターンＨＰが得られる第２反射面４ｂとがそれぞれ設けられている。
【０００４】
ここで、所定のロービームの配光パターンＬＰ、所定のハイビームの配光パターンＨＰとは、欧州配光規格ＥＣＥＲｅｇ．、あるいはそれに準じたもの（例えば、日本国内型式認定基準等）、北米配光規格のＦＭＶＳＳ等の配光規格に適合する配光パターンを言う。上述のロービームの配光パターンＬＰにおいては、眩惑光を制限するように配光規格化されている。この結果、上述のロービームの配光パターンＬＰは、図１３に示すように、対向車及び左側路肩の歩行者に対して考慮した明暗境界線ＬＰ１を有するものとなる。すなわち、この明暗境界線ＬＰ１は、対向車に眩惑光を与えないように、右端からほぼ中央までの間であって、水平線ＨＬ−ＨＲよりも若干下方に位置する水平線部分ＬＰ２と、左側路肩歩行者に眩惑光を与えずにかつ左側路肩歩行者を視認できるように、ほぼ中央の水平線部分ＬＰ２から緩やかに、例えば１５°左上方に傾斜する緩傾斜線部分ＬＰ３とからなる。
【０００５】
一方、上述のハイビームの配光パターンＨＰにおいては、最大光度値や最大光度帯が配光規格化されている。この結果、上述のハイビームの配光パターンＨＰは、図１４に示すように、中央部分にホットゾーンＨＺ（最大光度点を含む最大光度帯）を有するものとなる。
また、図１２において、固定シェード５は、前部側が閉塞しかつ後部側が開口した筒形状の覆い部５ａと、その覆い部５ａの開口下端から一体に突設された固定脚部５ｂとから構成されている。この固定脚部５ｂがリフレクタ４にスクリュウにより固定されており、この結果、覆い部５ａが放電バルブ２の前方に配置することとなる。この固定シェード５は、放電バルブ２からの光のうち第１反射面４ａ及び第２反射面４ｂで反射される反射光（図示せず）以外の前方に直接照射される直射光（図示せず）を遮光するものである。
【０００６】
また、図１２において、可動シェード６は、四角筒形状をなし、駆動手段７により、放電バルブ２の外側でかつ固定シェード５の覆い部５ａの内側において、所定のロービームの配光パターンＬＰが得れるロービーム位置（図１２中の実線にて示す位置）と所定のハイビームの配光パターンＨＰが得られるハイビーム位置（図１２中の一点鎖線にて示す位置）との間を、図１２中の実線矢印方向及び一点鎖線矢印方向に、切替移動可能に配置されている。この可動シェード６は、所定のロービームの配光パターンＬＰと所定のハイビームの配光パターンＨＰとに切替えるものである。
さらに、図１２において、ソレノイド手段７は、固定側のベース７ａと、ソレノイド７ｂと、固定ガイドレール７ｃ及び可動ガイドレール７ｄと、可動側のブラケット（若しくはステー）７ｅと、弾性部材としての引張りコイルスプリング７ｆとから構成されている。可動シェード６は、引張りコイルスプリング７ｆにより常時ロービーム位置側に引張られていることとなる。
【０００７】
このように構成されたヘッドランプ装置１００は、２灯式で構成されており、可動シェード６がロービーム位置に位置しているとき、放電バルブ２を点灯すると、その放電バルブ２からの光Ｌ１が第１反射面４ａで反射され、その反射光が前方に照射されて、図１３に示す所定のロービームの配光パターンＬＰが得られる。
【０００８】
次に、ソレノイド７ｂに通電すると、可動シェード６は、引張りコイルスプリング７ｆの引張り力に抗してロービーム位置からハイビーム位置に移動し、そのハイビーム位置において、ソレノイド７ｂの吸引力により、固定保持される。これにより、放電バルブ２からの光Ｌ１、Ｌ２が第１反射面４ａ及び第２反射面４ｂで反射され、その反射光が前方に照射されて、図１４に示す所定のハイビームの配光パターンＨＰが得られる。
【０００９】
それから、ソレノイド７ｂへの通電を遮断すると、可動シェード６は、引張りコイルスプリング７ｆの引張り力によりハイビーム位置からロービーム位置に引張られて固定保持される。
【００１０】
また、図１５〜図１７は、４灯式のヘッドランプ装置１０１を示す（例えば、特許文献２参照）。図１５は、概略図でアウタレンズ、光源等は省略してある。このヘッドランプ装置１０１は、左右の各灯具が、２個の光源８、９を有して構成される４灯式のもので、図１５では右側灯具のみを示している。すなわち、ヘッドランプ装置１０１は、左右の各灯具が、旋回／走行ビーム配光用灯具部１０と、すれ違いビーム配光用灯具部１１とを備えて構成されている。図１５中、符号８ａ、９ａは、各光源８、９の中心部位である。
【００１１】
旋回／走行ビーム配光用灯具部１０は、そのリフレクタ１２が、略上側半分の反射面で構成される旋回用リフレクタ１３（図１５上、斜線を付して示している）と、略下側半分の反射面で構成される走行ビーム用リフレクタ１４とを有して構成されており、その光源８が、図１６に示すように、ダブルフィラメント光源で構成されている。光源８は、光軸Ａに略沿って前後方向にずれて設けられる旋回用光源１５および走行用光源１６を有しており、旋回用光源１５が、シェード１７を備えて構成されている。
【００１２】
すれ違いビーム配光用灯具部１１は、そのリフレクタ１８が、従来と同様のすれ違い用反射面１８ａを有して構成されており、その光源９が、図１７に示すように、シングルフィラメント光源で構成されている。
【００１３】
旋回／走行ビーム配光用灯具部１０は、旋回用リフレクタ１３が、左右の灯具間で、相互に逆向きとなるように光軸Ａ（図１６参照）に直交する軸を左または右方向（図１５中、ＬまたはＲ方向）に傾けて外向きになるように配置されている。
【００１４】
さらに、旋回／走行ビーム配光用灯具部１０は、旋回用光源（シェード側の光源）１５の光源の光を旋回用リフレクタ１３で反射させることによって旋回用配光を構成し、かつ走行用光源（他の光源）１６の光を旋回用リフレクタ１３および走行ビーム用リフレクタ１４で反射させることによって走行ビーム用配光を構成するように全体構成されている。
そして、ヘッドランプ装置１０１は、光源８およびすれ違いビーム配光用灯具部４（詳しくは、シングルフィラメント光源９）の点灯制御により、すれ違いビーム配光、走行ビーム配光、旋回用配光とすれ違いビーム配光との併用配光との間で切り換え可能に構成されている。
【００１５】
【特許文献１】
特開２０００−２００５０９号公報（明細書段落番号〔０００９〕〜〔００１９〕、図１、図７、図８）
【００１６】
【特許文献２】
特開２００３−２５９０６号公報（明細書段落番号〔００１８〕〜〔００２１〕、〔００２４〕、〔００２５〕、図１、図２（ａ）、図３）
【００１７】
【発明が解決しようとする課題】
このようにヘッドランプ装置１００は、２灯式で、１個の放電バルブに対する可動シェード６の切替で、ロービームの配光パターンＬＰをすれ違いビーム配光とし、ハイビームの配光パターンＨＰを走行ビーム配光とすることで、多機能化を図っている。
【００１８】
また、ヘッドランプ装置１０１は、４灯式で、旋回／走行ビーム配光用灯具部１０とすれ違いビーム配光用灯具部１１とで構成することにより、多機能化を図っている。
【００１９】
しかしながらこれらヘッドランプ装置１００、および１０１の電源供給装置は、各装置毎に配線を施して、各装置毎に専用化されたものとして構成されているので、新たな電源供給装置を製作する場合には、その都度専用の配線を施すことにより製作する必要があり、このため製作期間の長期化およびコスト高を招く、という課題を有している。
【００２０】
また、従来の電源供給装置は、放電バルブの起動系統の配索と、多機能化で付加される機能毎の配索が必要となり、付加される機能数が増加するほど配索の複雑化を招く、という課題を有している。
【００２１】
そこで、本発明は、配索の複雑化を伴うことなく単機能から多機能化までの変化に容易に対応することができると共に、製作期間の短縮化およびコスト低減化をも共に図ることができるヘッドランプの電源供給装置を提供することを目的としている。
【００２２】
【課題を解決するための手段】
前記した目的を達成するため、請求項１記載の発明は、少なくとも１個の放電バルブを光源とするヘッドランプの電源供給装置であって、
前記光源の内すれ違いビーム用の放電バルブを点灯させることのできる基本回路と、機能拡張用コネクタと、すれ違いビーム点灯用ソケットと、電源入力コネクタとを備えた基本回路部材と、
前記ヘッドランプに要求付加される各種機能を機能毎の機能拡張子として独立させて形成した複数の機能拡張子からなる拡張子群とを有し、
前記ヘッドランプの要求仕様に応じて前記拡張子群から選択される１個又は相互に連係する機能の異なる複数個の拡張子を、前記機能拡張用コネクタを介して前記基本回路部材に着脱可能に組み込んで構成したことを特徴とする。
【００２３】
このため、請求項１記載の発明では、すれ違いビーム用の放電バルブを点灯させることのできる基本回路に、機能拡張用コネクタ、すれ違いビーム点灯用ソケット、および電源入力コネクタを備えて基本回路部材として部品化し、かつ多機能化で要求付加される各種機能を機能毎の機能拡張子として部品化したので、ヘッドランプの単機能から多機能化までの幅広い要求仕様に応じて、拡張子群から選択される拡張子を基本回路部材に組み込むことにより、前記要求仕様に見合った電源供給装置を製作することができる。単機能のヘッドランプの電源供給装置は、基本回路部材のみを用いて製作することができる。
【００２４】
また、基本回路部材に組み込まれる各機能拡張子への電源供給は、機能拡張用コネクタを介して行うことができるので、配線の簡略化を図ることができる。
【００２５】
また、基本回路部材および各機能拡張子を部品化したので、それ等を在庫することができ、これにより故障時の部品交換も容易に行うことができると共に、電源供給装置の製作期間をも短縮することができる。
【００２６】
また、請求項２記載の発明は、請求項１に記載のヘッドランプの電源供給装置であって、
前記機能拡張子は、走行ビーム配光を奏する走行ビーム機能拡張子で、前記光源の内走行ビーム用の放電バルブを点灯させることのできる走行ビーム用回路と、走行ビーム点灯用ソケットとを備えて構成されており、
前記走行ビーム機能拡張子が、前記機能拡張用コネクタを介して前記基本回路部材に着脱可能に組み込まれて構成されていることを特徴とする。
【００２７】
このため、請求項２記載の発明では、各灯具内に配設される２個の放電バルブの内、一の放電バルブにすれ違いビーム点灯用ソケットを接続すると共に、他の放電バルブに走行ビーム点灯用ソケットを接続することにより４灯式のヘッドランプを構成することができる。
【００２８】
また、請求項３記載の発明は、請求項１に記載のヘッドランプの電源供給装置であって、
前記機能拡張子は、縦方向の車両姿勢を検出して光照射方向を常時所定の状態に保つように補正するレベライザー制御機能拡張子であり、
前記レベライザー制御機能拡張子が、前記機能拡張用コネクタを介して前記基本回路部材に着脱可能に組み込まれて構成されていることを特徴とする。
【００２９】
このため、請求項３記載の発明では、レベライザー制御機能拡張子により、縦方向の車両姿勢を検出して光照射方向を常時所定の状態に保つように補正することができるヘッドランプを構成することができる。
【００３０】
また、請求項４記載の発明は、請求項１に記載のヘッドランプの電源供給装置であって、
前記機能拡張子は、光照射方向を進行方向に対して横方向に揺動制御する光照射方向制御機能拡張子であり、
前記光照射方向制御機能拡張子が、前記機能拡張用コネクタを介して前記基本回路部材に着脱可能に組み込まれて構成されていることを特徴とする。
【００３１】
このため、請求項４記載の発明では、光照射方向制御機能拡張子により、光照射方向を進行方向に対して横方向に揺動させるようにした照射方向可変のヘッドランプを構成することができる。
【００３２】
また、請求項５記載の発明は、請求項１に記載のヘッドランプの電源供給装置であって、
前記機能拡張子の一は、走行ビーム配光を奏する走行ビーム機能拡張子で、前記光源の内走行ビーム用の放電バルブを点灯させることのできる走行ビーム用回路と、走行ビーム点灯用ソケットとを備えて構成されており、
前記機能拡張子の他の一は、光照射方向を進行方向に対して横方向に揺動制御する光照射方向制御機能拡張子であり、
前記機能拡張子のさらに他の一は、前記ヘッドランプに内在するＬＥＤを光源とするランプを点灯制御するＬＥＤ点灯制御機能拡張子であり、
前記走行ビーム機能拡張子と前記光照射方向制御機能拡張子と前記ＬＥＤ点灯制御機能拡張子の連係部材が、前記機能拡張用コネクタを介して前記基本回路部材に着脱可能に組み込まれて構成されていることを特徴とする。
【００３３】
このため、請求項５記載の発明では、各灯具内に配設される２個の放電バルブの内、一の放電バルブにすれ違いビーム点灯用ソケットを接続し、他の放電バルブに走行ビーム点灯用ソケットを接続すると共に、ＬＥＤ点灯制御機能拡張子をＬＥＤを光源とするランプに接続することによって、ＬＥＤを光源とするランプを内在した４灯式に構成し、かつ光照射方向制御機能拡張子により、光照射方向を進行方向に対して横方向に揺動させるようにした照射方向可変のヘッドランプを構成することができる。
【００３４】
また、請求項６記載の発明は、光源としての放電バルブからの光を反射させて所定のすれ違いビームの配光パターンが得られる第１反射面と、前記放電バルブからの光を前記第１反射面と共に反射させて所定の走行ビームの配光パターンが得られる第２反射面とを有して構成されるリフレクタと、放電バルブからの光のうち前記第１反射面および前記第２反射面で反射される反射光以外の前方に直接照射される直射光を遮光する固定シェードと、前記固定シェード内において前記すれ違いビームの配光パターンが得られるロービーム位置と前記走行ビームの配光パターンが得られるハイビーム位置との間を切替移動可能に配置され前記すれ違いビームの配光パターンと前記走行ビームの配光パターンとに切替える可動シェードと、前記可動シェードを前記すれ違いビーム位置と前記走行ビーム位置とに切替えるソレノイド手段とを備えているヘッドランプの電源供給装置において、
前記放電バルブを点灯させることのできる基本回路と、機能拡張用コネクタと、前記放電バルブ点灯用ソケットと、電源入力コネクタとを備えている基本回路部材と、
前記ソレノイド手段の駆動を制御する制御回路を備えたソレノイド制御部材とを有し、
前記ソレノイド制御部材を、前記機能拡張用コネクタを介して前記基本回路部材に着脱可能に組み込んで構成したことを特徴とする。
【００３５】
このため、請求項６記載の発明では、ソレノイド制御部材の可動シェードの切替移動により、１個の放電バルブをすれ違いビームの配光パターンと走行ビームの配光パターンとに切替えることができる。
【００３６】
また、光源としての放電バルブを点灯させることのできる基本回路に、機能拡張用コネクタ、放電バルブ点灯用ソケット、および電源入力コネクタを備えて基本回路部材として部品化すると共に、ソレノイド手段の制御部分を、可動シェードの駆動を制御する制御回路を備えてソレノイド制御部材として部品化したので、ヘッドランプの多機能化に見合った電源供給装置を部品同士の結合により容易に製作することができる。
【００３７】
また、基本回路部材に組み込まれるソレノイド制御部材への電源供給は、機能拡張用コネクタを介して行うことができるので、配線の簡略化を図ることができる。
【００３８】
さらに、基本回路部材、およびソレノイド制御部材を部品化したので、それ等を在庫することができ、これにより故障時の部品交換も容易に行うことができると共に、電源供給装置の製作期間をも短縮することができる。
【００３９】
また、請求項７記載の発明は、請求項６に記載のヘッドランプの電源供給装置であって、
前記ソレノイド制御部材に、光照射方向を進行方向に対して横方向に揺動制御する光照射方向制御機能拡張子を組み込んだ連係部材が、前記機能拡張用コネクタを介して前記基本回路部材に着脱可能に組み込まれて構成されていることを特徴とする。
【００４０】
このため、請求項７記載の発明では、ソレノイド制御部材の可動シェードの切替移動により、１個の放電バルブをすれ違いビームの配光パターンと走行ビームの配光パターンとに切替えることができると共に、光照射方向制御機能拡張子により、光照射方向を進行方向に対して横方向に揺動させるようにした照射方向可変のヘッドランプを構成することができる。
【００４１】
【発明の実施の形態】
以下、本発明の実施の形態を図面に基づいて説明する。なお、図１２〜図１７に示すものと同一の機能を奏するものは同一の符号を付してその詳細な説明は省略する。
【００４２】
図１は、本発明の第１実施形態としての電源供給装置Ａを適用したヘッドランプ１を示す。この電源供給装置Ａは、少なくとも１個の放電バルブ２を光源とするヘッドランプ１に適用されるものであって、基本回路部材Ｂと、複数個の拡張子からなる拡張子群Ｃとを有し、ヘッドランプ１の要求仕様に応じて拡張子群Ｃから選択される１個又は相互に連係する機能の異なる複数個の拡張子を、基本回路部材Ｂに着脱可能に組み込んで大略構成されている。
【００４３】
このとき拡張子群Ｃは、ヘッドランプに要求付加される各種機能を機能毎の機能拡張子として独立させて形成した複数の機能拡張子から構成されている。機能拡張子としては、例えば、走行ビーム機能拡張子、光照射方向制御機能拡張子、レベライザー制御機能拡張子、ＬＥＤ点灯制御機能拡張子等がある。
【００４４】
なお、図１中、符号３０は表ガラス、符号３１はランプハウジング、符号３２は見返しである。
【００４５】
図２は、基本回路部材Ｂを示している。この基本回路部材Ｂは、光源の内すれ違いビーム用の放電バルブ２を点灯させることのできる基本回路（図示せず）と、機能拡張用コネクタＢ１と、すれ違いビーム点灯用ソケットＢ２と、電源入力コネクタＢ３とを備えて構成されている。本実施形態では、基本回路部材Ｂは、基本回路がケーシングＢ４に内蔵された独立部品として構成されており、ケーシングＢ４の一辺に機能拡張用コネクタＢ１が設けられており、ケーシングＢ４の他辺に電源入力コネクタＢ３が設けられており、かつケーシングＢ４のさらに他辺にリード線Ｂ５が導出されてそのリード線Ｂ５の先端にすれ違いビーム点灯用ソケットＢ２が設けられている。
【００４６】
基本回路部材Ｂは、電源入力コネクタＢ３を介して電源（図示せず）に接続するようになっており、機能拡張用コネクタＢ１は、機能を拡張するために拡張子を結合させる部分で、結合された拡張子は機能拡張用コネクタＢ１を介して電源が供給される。なお、図２中、符号Ｂ６は、ケーシングＢ４の外周の適所に固設された取付用孔である。
【００４７】
図３は、カバー部材Ｄを示す。このカバー部材Ｄは、両端部に取付用孔Ｄ３を設けた平板部Ｄ１と、この平板部Ｄ１の一側面の略中央に設けられた結合部Ｄ２とから構成されており、結合部Ｄ２を拡張子の付加されない機能拡張用コネクタＢ１に結合することにより機能拡張用コネクタＢ１を平板部Ｄ１で覆って機能拡張用コネクタＢ１を保護することができる。
【００４８】
図４は、拡張子群Ｃを構成する各種拡張子を示す。すなわち図４中、（ａ）は走行ビーム機能拡張子Ｅ、（ｂ）は光照射方向制御機能拡張子Ｆ、（ｃ）はレベライザー制御機能拡張子Ｇ、（ｄ）はＬＥＤ点灯制御機能拡張子Ｈをそれぞれ示す。
【００４９】
本実施形態では、各拡張子Ｅ、Ｆ、Ｇ、およびＨは、それぞれ制御回路（図示せず）がケーシングＥ１、Ｆ１、Ｇ１、およびＨ１に内蔵されると共に、雄コネクタＥ２、Ｆ２、Ｇ２、およびＨ２を備えて独立部品として構成されている。さらに拡張子ＥおよびＦには、ケーシングＥ１およびＦ１に、機能拡張用コネクタＢ１と同様な構造を有する雌コネクタＥ３およびＦ３がそれぞれ設けられている。さらにその上、拡張子Ｅには、リード線Ｅ５が導出されてそのリード線Ｅ５の先端に走行ビーム点灯用ソケットＥ４が設けられている。なお、図４中、符号Ｅ６、Ｆ４、Ｇ３、およびＨ３は、各拡張子Ｅ、Ｆ、Ｇ、およびＨそれぞれの取付用孔である。
【００５０】
そして電源供給装置Ａは、基本回路部材Ｂと、走行ビーム機能拡張子Ｅ、光照射方向制御機能拡張子Ｆ、レベライザー制御機能拡張子Ｇ、ＬＥＤ点灯制御機能拡張子Ｈ等からなる拡張子群Ｃとを有し、ヘッドランプ１の要求仕様に応じて拡張子群Ｃから選択される１個又は相互に連係する機能の異なる複数個の拡張子を、基本回路部材Ｂに着脱可能に組み込んで大略構成されている。
【００５１】
このようにして構成される電源供給装置Ａは、すれ違いビーム用の放電バルブ２を点灯させることのできる基本回路に、機能拡張用コネクタＢ１、すれ違いビーム点灯用ソケットＢ２、および電源入力コネクタＢ３を備えて基本回路部材Ｂとして部品化し、かつ多機能化で付加される走行ビーム機能、光照射方向制御機能、レベライザー制御機能、ＬＥＤ点灯制御機能をそれぞれ拡張子Ｅ、Ｆ、Ｇ、Ｈとして部品化したので、ヘッドランプ１の単機能から多機能化までの幅広い要求仕様に応じて、拡張子群Ｃから選択される拡張子Ｅ、Ｆ、Ｇ、Ｈを基本回路部材Ｂに組み込むことにより、前記要求仕様に見合った電源供給装置Ａを容易に製作することができる。単機能のヘッドランプ１の電源供給装置Ａは、基本回路部材Ｂのみを用いて製作することができる。
【００５２】
また、基本回路部材Ｂに組み込まれる各拡張子Ｅ、Ｆ、Ｇ、Ｈへの電源供給は、機能拡張用コネクタＢ１を介して行うことができるので、配線の簡略化を図ることができる。
【００５３】
また、基本回路部材Ｂおよび各拡張子Ｅ、Ｆ、Ｇ、Ｈを部品化したので、それ等を在庫することができ、これにより故障時の部品交換も容易に行うことができると共に、電源供給装置Ａの製作期間をも短縮することができる。
【００５４】
具体的には、基本回路部材Ｂに各拡張子Ｅ、Ｆ、Ｇ、Ｈを組み込むことにより図５〜図９に示す電源供給装置Ａ１〜Ａ５を提供することができる。
【００５５】
電源供給装置Ａ１は、図５に示すように、機能拡張用コネクタＢ１に結合部Ｄ２を結合することにより基本回路部材Ｂにカバー部材Ｄを着脱可能に組み込んで、単機能ヘッドランプ用として構成されている。電源供給装置Ａ１は、取付用孔Ｂ６およびＤ３を介してランプハウジング３１のボス部３３にビス止めされて取り付けられる（図１参照）。
【００５６】
この電源供給装置Ａ１では、機能拡張用コネクタＢ１がカバー部材Ｄの平板部Ｄ１で覆われて他部材との干渉から保護されている。
【００５７】
また、電源供給装置Ａ２は、図６に示すように、機能拡張用コネクタＢ１に雄コネクタＥ２を結合することによって、走行ビーム機能拡張子Ｅを基本回路部材Ｂに着脱可能に組み込んで構成されている。走行ビーム機能拡張子Ｅの雌コネクタＥ３には、結合部Ｄ２をかいしてカバー部材Ｄが着脱可能に組み込まれている。電源供給装置Ａ２は、取付用孔Ｂ６、Ｄ３、Ｅ６を介してランプハウジング３１に取り付けられる。
【００５８】
この電源供給装置Ａ２は、各灯具内に配設される２個の放電バルブの内、一の放電バルブにすれ違いビーム点灯用ソケットＢ２を接続すると共に、他の放電バルブに走行ビーム点灯用ソケットＥ４を接続することにより４灯式のヘッドランプ（従来技術のヘッドランプ装置１０１参照）を構成することができる。
【００５９】
また、電源供給装置Ａ３は、図７に示すように、機能拡張用コネクタＢ１に雄コネクタＧ２を結合することによって、レベライザー制御機能拡張子Ｇが、機能拡張用コネクタＢ１を介して基本回路部材Ｂに着脱可能に組み込まれて構成されている。電源供給装置Ａ３は、レベライザー制御機能拡張子Ｇの端子Ｇ４を介して灯具の縦方向の照射角調整手段（図示せず）に電気的に接続すると共に、取付用孔Ｂ６およびＧ３を介してランプハウジング３１に取り付けられる。
【００６０】
レベライザー制御機能拡張子Ｇは、例えば、乗車条件（乗員数や乗員の配置等）や積荷の積載条件、車両の走行状態等に起因する車体の傾きや高さを検出する検出手段を有し、該検出手段によって得られる情報に基づいて車体の傾きの変化量を算出して、灯具の照射状態が常に所定の状態となるように灯具の照射角等をその初期の調整値に対して補正して所定の配光を得るように制御するものである。
【００６１】
このため電源供給装置Ａ３は、レベライザー制御機能拡張子Ｇにより、縦方向の車両姿勢を検出して光照射方向を常時所定の状態に保つように補正することができるヘッドランプを構成することができる。
【００６２】
また、電源供給装置Ａ４は、図８に示すように、機能拡張用コネクタＢ１に雄コネクタＦ２を結合することによって、光照射方向制御機能拡張子Ｆが、機能拡張用コネクタＢ１を介して基本回路部材Ｂに着脱可能に組み込まれて構成されている。そして好ましくは、光照射方向制御機能拡張子Ｆの雌コネクタＦ３は、カバー部材Ｄで覆われて他部材との干渉から保護される。電源供給装置Ａ４は、光照射方向制御機能拡張子Ｆの端子Ｆ５を介して灯具の横方向の照射角調整手段（図示せず）に電気的に接続すると共に、取付用孔Ｂ６、Ｆ４、およびＤ３を介してランプハウジング３１に取り付けられる。
【００６３】
光照射方向制御機能拡張子Ｆは、例えば車両の操舵角を検出してその角度変化に応じて灯具の横方向の照射方向を変更することで、車両の進行方向に所定の配光を得るように制御するものである。
【００６４】
このため電源供給装置Ａ４は、光照射方向制御機能拡張子Ｆにより、光照射方向を進行方向に対して横方向に揺動させるようにした照射方向可変のヘッドランプを構成することができる。
【００６５】
また、電源供給装置Ａ５は、図９に示すように、走行ビーム機能拡張子Ｅと光照射方向制御機能拡張子ＦとＬＥＤ点灯制御機能拡張子Ｈの連係部材Ｊが、その雄コネクタＥ２を機能拡張用コネクタＢ１に結合させることにより、基本回路部材Ｂに着脱可能に組み込まれて構成されている。連係部材Ｊは、雌コネクタＥ３に雄コネクタＦ２を結合させることによって光照射方向制御機能拡張子Ｆを走行ビーム機能拡張子Ｅに組み込むと共に、雌コネクタＦ３に雄コネクタＨ２を結合させることによってＬＥＤ点灯制御機能拡張子Ｈを光照射方向制御機能拡張子Ｆに組み込んで構成されている。電源供給装置Ａ５は、取付用孔Ｂ６、Ｅ６、Ｆ４、およびＨ３を介してランプハウジング３１に取り付けられる。
【００６６】
ここでＬＥＤ点灯制御機能拡張子Ｈは、ヘッドランプに内在するＬＥＤを光源とするランプ、例えば、クリアランスランプ、フロントターンシグナルランプ等の対象ＬＥＤの電圧を制御することによって点灯制御する。
【００６７】
このため電源供給装置Ａ５は、各灯具内に配設される２個の放電バルブの内、一の放電バルブにすれ違いビーム点灯用ソケットＢ２を接続すると共に、他の放電バルブに走行ビーム点灯用ソケットＥ４を接続することによって、ＬＥＤを光源とするランプを内在した４灯式に構成し、かつ光照射方向制御機能拡張子Ｆにより、光照射方向を進行方向に対して横方向に揺動させるようにした照射方向可変のヘッドランプを構成することができる。
【００６８】
このように、電源供給装置Ａ１〜Ａ５は、配線の必要が無く、部品同士の結合により構成することができるので、製作が容易で製作期間の短縮化を図ることができると共に、基本回路部材Ｂ、拡張子群Ｃのいずれかに故障が生じたときは、故障の生じたものを交換するだけで、故障に素早く対応することができる。
【００６９】
図１０は、本発明の第２実施形態としての電源供給装置Ａ６を示す。この電源供給装置Ａ６は、前述したヘッドランプ装置１００と同様のヘッドランプ１に適用される。このため同一の構成要素は、同一符号を付して詳細な説明を省略する。
【００７０】
すなわち、電源供給装置Ａ６は、光源としての放電バルブ２からの光を反射させて所定のすれ違いビームの配光パターンが得られる第１反射面と、放電バルブ２からの光を前記第１反射面と共に反射させて所定の走行ビームの配光パターンが得られる第２反射面とを有して構成されるリフレクタ４と、放電バルブ２からの光のうち前記第１反射面および前記第２反射面で反射される反射光以外の前方に直接照射される直射光を遮光する固定シェード５と、固定シェード５内において前記すれ違いビームの配光パターンが得られるロービーム位置と前記走行ビームの配光パターンが得られるハイビーム位置との間を切替移動可能に配置され前記すれ違いビームの配光パターンと前記走行ビームの配光パターンとに切替える可動シェード６と、可動シェード６を前記すれ違いビーム位置と前記走行ビーム位置とに切替えるソレノイド手段７とを備えているヘッドランプ１に適用される。
【００７１】
ここで第１反射面、第２反射面、すれ違いビームの配光パターン、および走行ビームの配光パターンは、前述したヘッドランプ装置１００の第１反射面４ａ、第２反射面４ｂ、ロービームの配光パターンＬＰ、およびハイビームの配光パターンＨＰに相当している。
【００７２】
電源供給装置Ａ６は、放電バルブ２を点灯させることのできる基本回路（図示せず）と、機能拡張用コネクタＫ１と、放電バルブ点灯用ソケットＫ２と、電源入力コネクタＫ３とを備えている基本回路部材Ｋと、ソレノイド手段７の駆動を制御する制御回路（図示せず）を備えたソレノイド制御部材Ｍとを有し、ソレノイド制御部材Ｍを、機能拡張用コネクタＫ１を介して基本回路部材Ｋに着脱可能に組み込んで構成されている。
【００７３】
このため、電源供給装置Ａ６は、ソレノイド制御部材の可動シェードの切替移動により、１個の放電バルブをすれ違いビームの配光パターンと走行ビームの配光パターンとに切替えることができる。
【００７４】
本実施形態では、基本回路部材Ｋは、基本回路がケーシングＫ４に内蔵された独立部品として構成されており、ケーシングＫ４の一辺に機能拡張用コネクタＫ１が設けられており、ケーシングＫ４の他辺に電源入力コネクタＫ３が設けられており、かつケーシングＫ４のさらに他辺にリード線Ｋ５が導出されてそのリード線Ｋ５の先端に放電バルブ２の点灯用ソケットＫ２が設けられている。
【００７５】
基本回路部材Ｋは、電源入力コネクタＫ３を介して電源（図示せず）に接続するようになっており、機能拡張用コネクタＫ１は、機能を拡張するために拡張子を結合させる部分で、結合された拡張子は機能拡張用コネクタＫ１を介して電源が供給される。なお、図１０中、符号Ｋ６は、ケーシングＫ４の外周の適所に固設された取付用孔である。
【００７６】
また、ソレノイド制御部材Ｍは、制御回路がケーシングＭ１に内蔵されると共に、雄コネクタＭ２および取付用孔Ｍ３を備えて独立部品として構成されている。
【００７７】
そして電源供給装置Ａ６は、雄コネクタＭ２を機能拡張用コネクタＫ１に結合させることにより、ソレノイド制御部材Ｍを基本回路部材Ｋに着脱可能に組み込んで構成されると共に、ソケットＫ２を放電バルブ２に接続し、かつソレノイド制御部材Ｍの端子Ｍ４をソレノイド手段７に電気的に接続することにより全体構成される。
【００７８】
このように構成された電源供給装置Ａ６は、光源としての放電バルブ２を点灯させることのできる基本回路に、機能拡張用コネクタＫ１、放電バルブ点灯用ソケットＫ２、および電源入力コネクタＫ３を備えて基本回路部材Ｋとして部品化すると共に、ソレノイド手段７の制御部分を、可動シェード６の駆動を制御する制御回路を備えてソレノイド制御部材Ｍとして部品化したので、ヘッドランプの多機能化にも拘わらず、部品同士の結合により容易に製作することができる。
【００７９】
また、基本回路部材Ｋに組み込まれるソレノイド制御部材Ｍへの電源供給は、機能拡張用コネクタＫ１を介して行うことができるので、配線の簡略化を図ることができる。
【００８０】
さらに、基本回路部材Ｋ、およびソレノイド制御部材Ｍを部品化したので、それ等を在庫することができ、これにより故障時の部品交換も容易に行うことができると共に、電源供給装置の製作期間をも短縮することができる。
【００８１】
図１１は、第２実施形態の変形例としての電源供給装置Ａ７を示す。この電源供給装置Ａ７は、光照射方向制御機能拡張子Ｆを付加した点が異なるだけで他の構成は電源供給装置Ａ６と同様に構成されている。この光照射方向制御機能拡張子Ｆは、第１実施形態のものと同一のものである。
【００８２】
すなわち電源供給装置Ａ７は、ソレノイド制御部材Ｍに光照射方向制御機能拡張子Ｆを組み込んだ連係部材Ｊ１が、機能拡張用コネクタＫ１を介して基本回路部材Ｋに着脱可能に組み込まれて構成されている。このとき光照射方向制御機能拡張子Ｆは、その端子Ｆ５を、リフレクタ４の移動手段を構成するアクチュエータ３３に電気的に接続して全体構成されている。
【００８３】
このように構成された電源供給装置Ａ７は、電源供給装置Ａ６と同様の作用効果に加えて、多機能化で付加される光照射方向制御機能拡張子Ｆ、およびソレノイド制御部材Ｍをそれぞれ部品化したので、ヘッドランプの多機能化にも拘わらずこれらと基本回路部材Ｋを含む部品同士の結合により容易に製作することができる。
【００８４】
【発明の効果】
以上、詳述したように、請求項１記載の発明によれば、基本回路部材、および多機能化で付加される各種機能を機能毎の機能拡張子として部品化したので、ヘッドランプの単機能から多機能化までの幅広い要求仕様に応じて、拡張子群から選択される拡張子を基本回路部材に組み込むことにより、前記要求仕様に見合った電源供給装置を容易に製作することができる。
【００８５】
また、基本回路部材に組み込まれる各拡張子への電源供給は、基本回路部材の機能拡張用コネクタを介して行うことができるので、ヘッドランプの多機能化にも拘わらず配線の簡略化を図ることができる。
【００８６】
また、基本回路部材および各拡張子を部品化したので、それ等を在庫することができ、これにより故障時の部品交換も容易に行うことができると共に、電源供給装置の製作期間をも短縮することができ、ひいてはコストダウンをも図ることができる。
【００８７】
また、請求項２記載の発明によれば、請求項１記載の発明の効果に加えて、各灯具内に配設される２個の放電バルブの内、一の放電バルブにすれ違いビーム点灯用ソケットを接続すると共に、他の放電バルブに走行ビーム点灯用ソケットを接続することにより４灯式のヘッドランプの電源供給装置を提供することができる。
【００８８】
また、請求項３記載の発明によれば、請求項１記載の発明の効果に加えて、レベライザー制御機能拡張子により、縦方向の車両姿勢を検出して光照射方向を常時所定の状態に保つように補正することができるヘッドランプの電源供給装置を提供することができる。
【００８９】
また、請求項４記載の発明によれば、請求項１記載の発明の効果に加えて、光照射方向制御機能拡張子により、光照射方向を進行方向に対して横方向に揺動させるようにした照射方向可変のヘッドランプの電源供給装置を提供することができる。
【００９０】
また、請求項５記載の発明によれば、走行ビーム機能拡張子と光照射方向制御機能拡張子とＬＥＤ点灯制御機能拡張子の連係部材を、基本回路部材に組み込んで構成したので、請求項１記載の発明の効果に加えて、各灯具内に配設される２個の放電バルブの内、一の放電バルブにすれ違いビーム点灯用ソケットを接続し、他の放電バルブに走行ビーム点灯用ソケットを接続すると共に、ＬＥＤ点灯制御機能拡張子をＬＥＤを光源とするランプに接続することによって、ＬＥＤを光源とするランプを内在した４灯式に構成し、かつ光照射方向制御機能拡張子により、光照射方向を進行方向に対して横方向に揺動させるようにした照射方向可変のヘッドランプの電源供給装置を提供することができる。
【００９１】
また、請求項６記載の発明によれば、光源としての放電バルブを点灯させることのできる基本回路に、機能拡張用コネクタ、放電バルブ点灯用ソケット、および電源入力コネクタを備えて基本回路部材として部品化すると共に、ソレノイド手段の制御部分を、可動シェードの駆動を制御する制御回路を備えてソレノイド制御部材として部品化したので、ヘッドランプの多機能化に見合った電源供給装置を部品同士の結合により容易に製作することができる。
【００９２】
また、基本回路部材に組み込まれるソレノイド制御部材への電源供給は、機能拡張用コネクタを介して行うことができるので、配線の簡略化を図ることができる。
【００９３】
さらに、基本回路部材、およびソレノイド制御部材を部品化したので、それ等を在庫することができ、これにより故障時の部品交換も容易に行うことができると共に、電源供給装置の製作期間をも短縮することができ、ひいてはコストダウンをも図ることができる。
【００９４】
また、請求項７記載の発明によれば、請求項６記載の発明の効果に加えて、ソレノイド制御部材の可動シェードの切替移動により、１個の放電バルブをすれ違いビームの配光パターンと走行ビームの配光パターンとに切替えることができると共に、光照射方向制御機能拡張子により、光照射方向を進行方向に対して横方向に揺動させるようにした照射方向可変のヘッドランプの電源供給装置を提供することができる。
【図面の簡単な説明】
【図１】本発明の電源供給装置を適用したヘッドランプの概略側断面図である。
【図２】本発明の第１実施形態としての電源供給装置を構成する基本回路部材で、（ａ）はその正面図、（ｂ）はその底面図である。
【図３】本発明の電源供給装置に適用されるカバー部材の正面図である。
【図４】本発明の第１実施形態としての電源供給装置を構成する各種拡張子の正面図で、（ａ）は走行ビーム機能拡張子、（ｂ）は光照射方向制御機能拡張子、（ｃ）はレベライザー制御機能拡張子、（ｄ）はＬＥＤ点灯制御機能拡張子である。
【図５】第１実施形態の第１変形例としての電源供給装置の正面図である。
【図６】第１実施形態の第２変形例としての電源供給装置の正面図である。
【図７】第１実施形態の第３変形例としての電源供給装置の正面図である。
【図８】第１実施形態の第４変形例としての電源供給装置の正面図である。
【図９】第１実施形態の第５変形例としての電源供給装置の正面図である。
【図１０】本発明の第２実施形態としての電源供給装置の使用状態説明図である。
【図１１】本発明の第２実施形態の変形例としての電源供給装置の使用状態説明図である。
【図１２】従来のヘッドランプ装置の一方の灯具の概略断面図である。
【図１３】図１２のヘッドランプ装置のロービームの配光パターンである。
【図１４】図１２のヘッドランプ装置のハイビームの配光パターンである。
【図１５】従来の他のヘッドランプ装置の一方の灯具の概略正面図である。
【図１６】図１５のＸ−Ｘ線に沿う断面図である。
【図１７】図１５のＸＩ−ＸＩ線に沿う断面図である。
【符号の説明】
１  ヘッドランプ
２  放電バルブ
４  リフレクタ
５  固定シェード
６  可動シェード
７  ソレノイド手段
Ａ、Ａ１〜Ａ７  電源供給装置
Ｂ、Ｋ  基本回路部材
Ｂ１、Ｋ１  機能拡張用コネクタ
Ｂ２  すれ違いビーム点灯用ソケット
Ｂ３、Ｋ３  電源入力コネクタ
Ｃ  拡張子群
Ｅ  走行ビーム機能拡張子
Ｅ４  走行ビーム点灯用ソケット
Ｆ  光照射方向制御機能拡張子
Ｇ  レベライザー制御機能拡張子
Ｈ  ＬＥＤ点灯制御機能拡張子
Ｊ、Ｊ１  連係部材
Ｋ２  放電バルブ点灯用ソケット
Ｍ  ソレノイド制御部材
【図１】
2004327175.tif 000003
【図２】
2004327175.tif 000004
【図３】
2004327175.tif 000005
【図４】
2004327175.tif 000006
【図５】
2004327175.tif 000007
【図６】
2004327175.tif 000008
【図７】
2004327175.tif 000009
【図８】
2004327175.tif 000010
【図９】
2004327175.tif 000011
【図１０】
2004327175.tif 000012
【図１１】
2004327175.tif 000013
【図１２】
2004327175.tif 000014
【図１３】
2004327175.tif 000015
【図１４】
2004327175.tif 000016
【図１５】
2004327175.tif 000017
【図１６】
2004327175.tif 000018
【図１７】
2004327175.tif 000019